(57)【要約】【課題】連結部付近に凹凸や段差が無くデザイン性に優れた組立式収納体を提供する。【解決手段】載置部１の周面１Ａに係合凹部３を内側に向かって凹設すると共にこの係合凹部３に支柱部２を摺動案内する摺動案内部４を設け、支柱部２の両端部の一方に差し込み係合片５を設け他方に差し込み凹部６を設け、且つ一方の端部に摺動案内部４に摺動係合する摺動係合部７を設けると共にこの摺動係合部７を設けた端部を載置部１の係合凹部３に係合した際、この係合凹部３と係合した支柱部２の端部外面が隣接する載置部１の周面１Ａと面一状態となるように構成し、この載置部１の周面１Ａと面一状態に係合した支柱部２に他の支柱部２を連結した際、この他の支柱部２の外面と載置部１の周面１Ａと面一状態に係合した支柱部２の外面とが面一状態となるように構成した組立式収納体。【選択図】図１
2014171754.tif 000002
【特許請求の範囲】
【請求項１】
板状又は枠状に形成した載置部と、この載置部を支持する支柱部とから成る組立式収納体において、前記載置部の周面に、前記支柱部と係合する係合凹部を該載置部の周面に対して内側に向かって凹設すると共に、この係合凹部の内面に前記支柱部を上下方向に摺動案内する摺動案内部を設け、前記支柱部の長さ方向一側端部と長さ方向他側端部の一方に差し込み係合片を設け、他方に他の支柱部又は他の部材の差込み係止片を差し込み係合する差し込み凹部若しくは前記載置部と係合することで前記差し込み凹部を形成し得る差し込み凹部形成片を設け、且つ前記長さ方向一側端部と長さ方向他側端部のいずれか一方に前記摺動案内部に摺動係合する摺動係合部を設けると共に、この摺動係合部を設けた側の端部を、前記摺動案内部の摺動案内によって前記載置部の周面に設けた係合凹部に上下方向に摺動させて係合した際、この係合凹部と係合した支柱部の端部外面が隣接する前記載置部の周面と面一状態となるように構成し、この載置部の周面に外面を面一状態にして設けた前記支柱部の端部に他の支柱部若しくは他の部材を連結した際、この連結した他の支柱部若しくは他の部材の連結部付近の外面と前記載置部の周面に面一状態に設けた前記支柱部の端部外面とが面一状態となるように構成したことを特徴とする組立式収納体。
【請求項２】
前記係合凹部を前記載置部の角部の周面に形成すると共に、前記載置部の角部を形成する二面に跨る折曲形状又は湾曲形状に形成すると共に、この係合凹部に係合する前記支柱部の端部形状を折曲形状又は湾曲形状に形成し、この端部形状を折曲形状又は湾曲形状に形成した前記支柱部を前記係合凹部に係合した際、前記支柱部の左右両端部外面が隣接する前記載置部の周面と面一状態となるように構成したことを特徴とする請求項１記載の組立式収納体。
【請求項３】
前記支柱部は、該支柱部の長さ方向一側端部と長さ方向他側端部の一方に連結係止片を設け他方に抜け止め係止部を設けて、この連結係止片を他の支柱部若しくは他の部材の抜け止め係止部に抜け止め係止する、又はこの抜け止め係止部に他の支柱部若しくは他の部材の連結係止片を抜け止め係止して、他の支柱部若しくは他の部材と分離不能に連結し得る構成とすると共に、この支柱部同士若しくは支柱部と他の部材との分離不能状態を解除するために前記抜け止め係止部に抜け止め係止している前記連結係止片の抜け止め係止状態を解除する際、この抜け止め係止状態の連結係止片の先端部を指先で引き操作若しくは押し操作し得る指入れ操作空間部を前記抜け止め係止部に連設したことを特徴とする請求項１，２のいずれか１項に記載の組立式収納体。
【発明の詳細な説明】
【技術分野】
【０００１】
本発明は、例えばシューズラックや収納棚等、載置部と支柱部とを組み合わせて形成される組立式収納体に関するものである。
【背景技術】
【０００２】
従来、この種の組立式収納体は、一般的には、各角部の表裏両面に支柱を連結する凹部を設けた複数の棚板と、この棚板の凹部に差し込み連結する断面矩形又は断面円形の複数の支柱とで構成され、一の棚板の各角部の表裏両面に設けられた凹部に支柱の一端を差し込み連結し、この支柱の他端に他の棚板を同様に差し込み連結して組み立ててゆき、一段または多段の収納部を形成するように構成されている。
【０００３】
しかしながら、従来の組立式収納体は、前述したように支柱が断面矩形又は断面円形をしており、これを差し込み連結するための凹部の形成にある程度の面積を要するため、この凹部形成によって収納部の収納面積が削られたり、或いは、引き出しや収納箱を設ける場合などは支柱により間口が狭くなり左右に無駄なスペースが生じたりして、収納部を有効利用できない問題があった。
【０００４】
このような問題を解決するために、特開２００４−８１４３９号（特許文献１）のように支柱形状を細長い楕円形状にして支柱の幅を狭くしたり、特開平１１−３４６８４０号（特許文献２）のように棚板の角部を外方に膨出させ、この膨出部に凹部を形成するなどして、できるだけ支柱を収納部に掛からないようにして、広い収納面積を確保するように構成した様々な組立式収納体が提案されている。
【先行技術文献】
【特許文献】
【０００５】
【特許文献１】特開２００４−８１４３９号公報
【特許文献２】特開平１１−３４６８４０号公報
【発明の概要】
【発明が解決しようとする課題】
【０００６】
しかしながら、これらの組立式収納体は、収納面積を確保できる反面、外形状、特に棚板と支柱の連結部において段差や凹凸が目立つようになり、支柱と棚板との一体感が無くなり、デザイン性の乏しい外観となってしまう問題があった。
【０００７】
本発明は、このような現状に鑑み、棚板と支柱との連結構造を改良し、従来の組立式収納体に比べて連結部付近に凹凸や段差が無くデザイン性に優れた組立式収納体を提供することを目的とする。
【課題を解決するための手段】
【０００８】
添付図面を参照して本発明の要旨を説明する。
【０００９】
板状又は枠状に形成した載置部１と、この載置部１を支持する支柱部２とから成る組立式収納体において、前記載置部１の周面１Ａに、前記支柱部２と係合する係合凹部３を該載置部１の周面１Ａに対して内側に向かって凹設すると共に、この係合凹部３の内面に前記支柱部２を上下方向に摺動案内する摺動案内部４を設け、前記支柱部２の長さ方向一側端部と長さ方向他側端部の一方に差し込み係合片５を設け、他方に他の支柱部２又は他の部材の差込み係止片５を差し込み係合する差し込み凹部６若しくは前記載置部１と係合することで前記差し込み凹部６を形成し得る差し込み凹部形成片20を設け、且つ前記長さ方向一側端部と長さ方向他側端部のいずれか一方に前記摺動案内部４に摺動係合する摺動係合部７を設けると共に、この摺動係合部７を設けた側の端部を、前記摺動案内部４の摺動案内によって前記載置部１の周面１Ａに設けた係合凹部３に上下方向に摺動させて係合した際、この係合凹部３と係合した支柱部２の端部外面が隣接する前記載置部１の周面１Ａと面一状態となるように構成し、この載置部１の周面１Ａに外面を面一状態にして設けた前記支柱部２の端部に他の支柱部２若しくは他の部材を連結した際、この連結した他の支柱部２若しくは他の部材の連結部付近の外面と前記載置部１の周面１Ａに面一状態に設けた前記支柱部２の端部外面とが面一状態となるように構成したことを特徴とする組立式収納体に係るものである。
【００１０】
また、前記係合凹部３を前記載置部１の角部の周面１Ａに形成すると共に、前記載置部１の角部を形成する二面に跨る折曲形状又は湾曲形状に形成すると共に、この係合凹部３に係合する前記支柱部２の端部形状を折曲形状又は湾曲形状に形成し、この端部形状を折曲形状又は湾曲形状に形成した前記支柱部２を前記係合凹部３に係合した際、前記支柱部２の左右両端部外面が隣接する前記載置部１の周面１Ａと面一状態となるように構成したことを特徴とする請求項１記載の組立式収納体に係るものである。
【００１１】
また、前記支柱部２は、該支柱部２の長さ方向一側端部と長さ方向他側端部の一方に連結係止片８を設け他方に抜け止め係止部９を設けて、この連結係止片８を他の支柱部２若しくは他の部材の抜け止め係止部９に抜け止め係止する、又はこの抜け止め係止部９に他の支柱部２若しくは他の部材の連結係止片８を抜け止め係止して、他の支柱部２若しくは他の部材と分離不能に連結し得る構成とすると共に、この支柱部２同士若しくは支柱部２と他の部材との分離不能状態を解除するために前記抜け止め係止部９に抜け止め係止している前記連結係止片８の抜け止め係止状態を解除する際、この抜け止め係止状態の連結係止片８の先端部を指先で引き操作若しくは押し操作し得る指入れ操作空間部10を前記抜け止め係止部９に連設したことを特徴とする請求項１，２のいずれか１項に記載の組立式収納体に係るものである。
【発明の効果】
【００１２】
本発明は上述のように構成したから、載置部に支柱部又は他の部材を連結した際、これらの外面、即ち、載置部の周面と支柱部又は他の部材（例えば底板部としての載置部に取り付ける脚部や天板部としての載置部に取り付ける天板部材など）の外面とが面一状態になり、滑らかに連続して一体感の生じる見た目に良い外観になり、従来の組立式収納体に比べて連結部付近に凹凸や段差が無くデザイン性に優れた組立式収納体となる。
【００１３】
また、従来は、棚板の表裏両面に支柱を差し込み連結するため、この支柱を差し込む凹部に支柱二本分を差し込む深さを要し、そのため、棚板を厚くするか、或いは、この凹部形成箇所だけ厚みを厚くしなければならず、必要以上に棚板の厚みが厚くなったり一部が突出したりして外観を損ねていたが、この点、本発明は、載置部に連結する支柱部は、上方側と下方側のいずれか一方側から係合する支柱部のみで、他方側から係合する支柱部又は他の部材は載置部と連結している支柱部に差し込み係合するので、従来のように、二本分の支柱部を差し込むために載置部の厚みを厚くしたり係合凹部の形成箇所だけ厚みを厚くしたりする必要が無く、載置部を最適な厚みや凹凸の無い形状に形成することができ、これにより、見た目の良いスマートな形状の載置部を形成することができ、よりデザイン性に優れた組立式収納体となる。
【００１４】
しかも、本発明は、支柱部が載置部の周面に係合する構成としたので、支柱部を載置部に連結した際に、この連結した支柱部が載置面に干渉せず、これにより、載置部の載置面を広く有効的に利用することができ、また、この載置部に収納ケースや引き出しを収納するように構成した場合も、支柱部間が広く収納ケースや引き出しを出し入れする間口が広くなるので、幅広の収納ケースや引き出しを採用することができ、より多くの収納物が収納可能となる実用性に優れた画期的な組立式収納体となる。
【００１５】
また、請求項２記載の発明においては、より一層デザイン性に優れ、且つ、収納体の剛性も向上する実用性に優れた組立式収納体となる。
【００１６】
また、請求項３記載の発明においては、抜け止め係止部に係止している連結係止片の係止解除操作が極めて容易にでき、極めて容易に分解作業を行うことができる実用性に優れた組立式収納体となる。
【図面の簡単な説明】
【００１７】
【図１】実施例１を示す斜視図である。
【図２】実施例１の載置部を示す平面図である。
【図３】実施例１の載置部の角部を示す平断面図である。
【図４】実施例１の載置部の角部を示す斜視図である。
【図５】実施例１の支柱部を示す斜視図である。
【図６】実施例１の支柱部の上端部を示す平断面図である。
【図７】実施例１の支柱部の上端部を示す斜視図である。
【図８】実施例１の支柱部の下端部を示す平断面図である。
【図９】実施例１の支柱部の下端部を示す斜視図である。
【図１０】実施例１の載置部と支柱部の連結状態を示す側断面図である。
【図１１】実施例１の載置部と支柱部の連結状態を示す平断面図である。
【図１２】実施例１の天板部材を示す斜視図である。
【図１３】実施例１の脚部を示す説明斜視図である。
【図１４】実施例１の組み立て手順を示す図である。
【図１５】実施例１の組み立て手順を示す図である。
【図１６】実施例１の組み立て手順を示す図である。
【図１７】実施例１の指入れ操作空間部を示す斜視図である。
【図１８】実施例２の支柱部の下端部を示す平断面図である。
【図１９】実施例２の支柱部の下端部を示す斜視図である。
【図２０】実施例２の差し込み凹部を示す説明平断面図である。
【図２１】実施例２の支柱部の上端部を示す平断面図である。
【図２２】実施例２の支柱部の上端部を示す斜視図である。
【発明を実施するための形態】
【００１８】
好適と考える本発明の実施形態を、図面に基づいて本発明の作用を示して簡単に説明する。
【００１９】
本発明の組立式収納体の組み立てに際しては、まず、載置部１の周面１Ａに凹設した係合凹部３に支柱部２の一側端部を連結する。
【００２０】
具体的には、載置部１の係合凹部３の内面に設けた摺動案内部４に、支柱部２の端部に設けた摺動係合部７を係合し、支柱部２を上方側又は下方側に移動すると、摺動案内部４による摺動案内により、支柱部２の一側端部が載置部１の周面１Ａに沿設状態で係合連結する。
【００２１】
即ち、本発明は、従来のように支柱部２を載置部１の載置面１Ｂに差し込み連結するのではなく、周面１Ａに沿設状態で連結するので、載置部１の載置面１Ｂ上に支柱部２がなく、よって、載置部１の載置面１Ｂを広く有効的に使用することができ、また、この載置部１に収納ケースや引き出しを収納するように構成した場合も、支柱部２間が広く収納ケースや引き出しを出し入れする間口が広くなるので、幅広の収納ケースや引き出しを採用することができ、より多くの収納物が収納可能となる。
【００２２】
この摺動案内部４の摺動案内により位置決めされて連結した支柱部２の一側端部は、係合凹部３に係合連結した際、外面が隣接する載置部１の周面１Ａと面一状態となる。即ち、本発明は、載置部１に支柱部２の一側端部を連結した際、この載置部１に連結した支柱部２の端部の外面が載置部１の周面１Ａと同化し、載置部１の周面１Ａは、段差の無い連続する滑らかな周面１Ａとなる。
【００２３】
次いで、載置部１に連結した支柱部２と反対側に、他の支柱部２又は他の部材（例えば底板部としての載置部１に取り付ける脚部11や天板部としての載置部１に取り付ける天板部材12等）を連結する。
【００２４】
本発明においては、この他の支柱部２又は他の部材の載置部１との連結は、前述のような載置部１との直接的な連結でなく、載置部１と連結した支柱部２に連結することで載置部１と連結する構成としている。
【００２５】
具体的には、載置部１と連結した支柱部２に設けた差し込み凹部６若しくは支柱部２を載置部１に連結したことにより形成された差し込み凹部６に他の支柱部２又は他の部材に設けた差し込み係合片５を差し込み係合する、或いは、載置部１と連結した支柱部２に設けた差し込み係合片５に他の支柱部２又は他の部材に設けた差し込み凹部６を被嵌係合する。
【００２６】
これにより、本発明は、載置部１に連結する支柱部２は、上方側と下方側（表側と裏側）のいずれか一方側から連結する支柱部２のみで、他方側から係合する支柱部２又は他の部材は載置部１と連結するので、従来のように、載置部１を、二本分の支柱部２を差し込むために厚みを厚くしたり係合凹部３の形成箇所だけ厚みを厚くしたりする必要が無く、最適な厚みや凹凸の無い形状に形成することができ、これにより、見た目の良いスマートな形状の載置部を形成することができ、よりデザイン性に優れた組立式収納体となる。
【００２７】
また、上述のようにして載置部１に連結した支柱部２に他の支柱部２又は他の部材を連結すると、この連結した他の支柱部２又は他の部材の外面が予め載置部１と連結していた支柱部２の外面と面一状態となり、これにより、載置部１の周面１Ａと、この載置部１の周面１Ａに係合した支柱部２の外面と、この載置部１と係合した支柱部２に連結した他の支柱部２又は他の部材の外面とが全て面一状態になり、連結部付近は段差の無い滑らかな面となり、見た目の良いデザイン性に優れた組立式収納体となる。
【実施例１】
【００２８】
本発明の具体的な実施例１について図１〜図１７に基づいて説明する。
【００２９】
本実施例は、板状に形成した載置部１と、この載置部１を支持する支柱部２とから成り、前記載置部１の周面１Ａに、前記支柱部２と係合する係合凹部３を該載置部１の周面１Ａに対して内側に向かって凹設すると共に、この係合凹部３の内面に前記支柱部２を上下方向に摺動案内する摺動案内部４を設け、前記支柱部２の長さ方向一側端部と長さ方向他側端部の一方に差し込み係合片５を設け、他方に他の支柱部２又は他の部材の差込み係止片５を差し込み係合する差し込み凹部６を設け、且つ前記長さ方向一側端部と長さ方向他側端部のいずれか一方に前記摺動案内部４に摺動係合する摺動係合部７を設けると共に、この摺動係合部７を設けた側の端部を、前記摺動案内部４の摺動案内によって前記載置部１の周面１Ａに設けた係合凹部３に上下方向に摺動させて係合した際、この係合凹部３と係合した支柱部２の端部外面が隣接する前記載置部１の周面１Ａと面一状態となるように構成し、この載置部１の周面１Ａに外面を面一状態にして設けた前記支柱部２の端部に他の支柱部２若しくは他の部材を連結した際、この連結した他の支柱部２若しくは他の部材の連結部付近の外面と前記載置部１の周面１Ａに面一状態に設けた前記支柱部２の端部外面とが面一状態となるように構成した組立式収納体である。
【００３０】
また、本実施例は、この組立式収納体を多段に構成したものであり、具体的には、図１に示すような、三枚の載置部１を有する三段構造に構成したものである。
【００３１】
以下、本実施例に係る構成各部について詳細に説明する。
【００３２】
本実施例の載置部１は、図２に示すように、合成樹脂製の部材を平面視矩形の板状体に形成し、各角部（四隅）に支柱部２と係合する係合凹部３を設けた構成としている。
【００３３】
この載置部１の各角部に設けた係合凹部３は、載置部１の周面１Ａに対して内側に向かって凹設した構成とし、本実施例では、この係合凹部３を角部に設けたので、係合凹部３は、載置部１の角部を形成する二面に跨る折曲形状又は湾曲形状に形成した構成とし、具体的には、本実施例は、角部をＲ状に形成したので、係合凹部３は平断面視９０°の弧状に形成した構成としている。
【００３４】
また、この係合凹部３は、内面に、具体的には、図３に示すように、係合凹部３の側面となる左右の周面１Ａの端面に、載置部１に支柱部２を係合する際に支柱部２を摺動案内し位置決めする摺動案内部４を設けた構成とし、本実施例では、この摺動案内部４を蟻ほぞ状の凸条部に形成し、係合凹部３の側面となる左右の周面１Ａの端面に上下方向に沿って突設した構成として、支柱部２を上下方向に摺動案内すると共に、支柱部２の水平方向、具体的には外方への位置ずれ（がたつき）を可及的に低減するように構成している。
【００３５】
また、この摺動案内部４の上下方向一端側、本実施例では、下端側に摺動案内した支柱部２の上下方向の係合位置を位置決める位置決め係止部13Ａを設けた構成としている。
【００３６】
また更に、本実施例の係合凹部３は、前述した摺動案内部４の他に、この摺動案内部４同様に支柱部２を摺動案内する第二摺動案内部14を設けた構成としており、この第二摺動案内部14は、蟻みぞ状の凹条部に形成し、係合凹部３の底面となる面の中央部（載置部１のＲ状に形成した角面）に上下方向に沿って凹設した構成とし、また、この第二摺動案内部14の下端側には、摺動案内部４同様に、摺動案内した支柱部２の上下方向の係合位置を位置決める位置決め係止部13Ｂを設けた構成としている。
【００３７】
また、この載置部１を支持する支柱部２は、合成樹脂製の部材を内方に開口する平断面視コ字状（平断面視Ｃ字状と平断面視Ｕ字状を含む）の棒状体に形成し、長さ方向両端部は載置部１の角部に設けた係合凹部３に係合し得る湾曲形状（平断面視９０°の弧状）に形成した構成としている。
【００３８】
また、本実施例の支柱部２は、長さ方向一側端部と長さ方向他側端部の一方に差し込み係合片５を設け、他方に他の支柱部２又は他の部材の差込み係止片５を差し込み係合する差し込み凹部６を設け、且つ前記長さ方向一側端部と長さ方向他側端部のいずれか一方に載置部１の係合凹部３に設けた摺動案内部４に摺動係合する摺動係合部７を設け、この摺動係合部７を設けた側の端部を載置部１に設けた係合凹部３に係合する構成としている。
【００３９】
具体的には、図５に示すように、上端部２Ａに差し込み係合片５、下端部２Ｂに差し込み凹部６及び摺動係合部７を設け、この下端部が載置部１の周面１Ａに設けた係合凹部３と係合する構成としている。
【００４０】
より具体的には、支柱部２の上端部２Ａに設けた差し込み係合片５は、図６，図７に示すように、板片を載置部１の角部形状と同等の湾曲形状（平断面視９０°の弧状）に形成し、上端部２Ａの端面に立設状態に設けた構成としている。
【００４１】
また、この差し込み係合片５を設けた支柱部２の上端部２Ａは、この差し込み係合片５を他の支柱部２又は他の部材の差し込み凹部６に差し込み係合し連結した際、この他の支柱部２又は他の部材に設けられた連結係止片８を抜け止め係止する抜け止め係止部９を設けた構成とし、本実施例では、上端部２Ａ端面に連結係止片８の先端部が貫通し得る貫通孔15を形成し、この貫通孔15を貫通した連結係止片８の先端部が引掛り係止する開孔縁を抜け止め係止部９としている。
【００４２】
また、本実施例は、この抜け止め係止部９の下方側に、この抜け止め係止部９に抜け止め係止している連結係止片８の先端部を指先で引き操作若しくは押し操作し得る指入れ操作空間部10を連設した構成とし、連結係止片８の抜け止め係止部９への係止解除を行う際、この指入れ操作空間部10に指を入れて容易に解除操作し得る構成としている。
【００４３】
また更に、この支柱部２の上端部２Ａは、他の支柱部２の下端部２Ｂ又は他の部材と連結した際、この支柱部２の上端部２Ａの外面が連結した他の支柱部２の下端部２Ｂの外面又は他の部材の外面と面一状態となるように構成し、連結した際、この連結境界部に段差が生じない構成としている。
【００４４】
また、支柱部２の下端部２Ｂに設けた差し込み凹部６は、図８，図９に示すように、開口部形状を差し込み係合片５の形状に合わせ湾曲形状（平断面視９０°の弧状）に形成した構成としている。
【００４５】
また、摺動係合部７は、蟻ほぞ状の凸条部に形成した摺動案内部４と係合し得るよう、蟻みぞ状の凹条部に形成し、湾曲形状（平断面視９０°の弧状）に形成した支柱部２の下端部２Ｂの左右端面に夫々凹設した構成としている。
【００４６】
また、本実施例の支柱部２の下端部２Ｂは、載置部１の係合凹部３に設けた第二摺動案内部14と摺動係合する第二摺動係合部16を設けた構成としており、具体的には、この第二摺動係合部16は、蟻みぞ状の凹条部に形成した第二摺動案内部14と係合し得る蟻ほぞ状の凸条部に形成した構成とし、支柱部２の下端部２Ｂ内面の中央部に上下方向に沿って凹設した構成としている。
【００４７】
また更に、支柱部２の下端部２Ｂは、前述した支柱部２の上端部２Ａに設けた抜け止め係止部９に抜け止め係止する連結係止片８を設けた構成としている。
【００４８】
この連結係止片８は、支柱部２の下端部２Ｂの内面中央部に垂設すると共に、先端部がこの下端部２Ｂ内面の下端から突出した構成とし、更に、この連結係止片８の弾性変形により、前後方向（内外方向）に揺動自在に設けた構成としている。
【００４９】
更に詳しく説明すると、この連結係止片８は、基端部と連設する下端部２Ｂの内面に切り欠き17を設け、この切り欠き17によって、より揺動し易くした構成とし、また、連結係止片８の先端部は、図１０に示すように、先端部をやや内側に傾斜状態に設けると共に、この先端部の内面側に、内方に向かって上がり傾斜するテーパー部８Ａを形成し、このテーパー部８Ａによって、連結係止片８の先端部が支柱部２の上端部２Ａに設けた貫通孔15を通過する際に貫通孔15により相対的に押圧されて外方に傾動しながら通過し、引掛り係止部８Ｂとなるテーパー部８Ａの上端部が貫通した際、押圧作用が解除され弾性復帰により連結係止片８の先端部が起動してテーパー部８Ａの引掛り係止部８Ｂが貫通孔15の開孔縁となる抜け止め係止部９に引掛り係止し、また、この抜け止め係止部９に引掛り係止した連結係止片８の先端部を指先で押し操作すると、連結係止片８の先端部が傾動して抜け止め係止部９との引掛り係止状態が解除されて、貫通孔15から引き抜き可能となるように構成している。
【００５０】
また、この支柱部２の下端部２Ｂは、載置部１の係合凹部３に係合連結した際、図１１に示すように、この支柱部２の下端部２Ｂの外面が、連結した載置部１の隣接する周面１Ａと面一状態となるように構成し、連結した際、この連結境界部に段差が生じない構成としている。
【００５１】
即ち、本実施例では、載置部１の周面１Ａに設けた係合凹部３に支柱部２の下端部２Ｂが係合することにより、この支柱部２の下端部２Ｂが、係合凹部３によって生じた載置部１の周面１Ａの段差を埋め、また、この支柱部２の下端部２Ｂの外面が載置部１の周面１Ａの一部となり一体化し、載置部１の周面１Ａが段差の無い滑らかな連続した周面１Ａとなるように構成している。
【００５２】
尚、本実施例では、連結係止片８の先端部の内面側にテーパー部８Ａを形成して、連結係止片８を外方に傾動する構成とし、係止解除操作は指先で押し操作する構成としたが、連結係止片８の外面側にテーパー部８Ａを形成して、連結係止片８を内方に傾動する構成とし、係止解除操作の際、指先で引き操作する構成としても良い。
【００５３】
また、本実施例は、最上段の載置部１の係合凹部３には、支柱部２の代わりの他の部材、具体的には、天板部材12を係合した構成としている。
【００５４】
この天板部材12は、図１２に示すように、平面視９０°の弧状に形成し、支柱部２の下端部２Ｂと同様に、差し込み凹部６、摺動係合部７、連結係止片８、及び第二摺動係合部16を設けた構成とし、また、係合凹部３と係合した際、載置部１の隣接する周面１Ａと面一状態になると共に、載置部１の上端縁とも面一状態となり、載置部１の係合凹部３を埋め、載置部１と一体化するように構成している。
【００５５】
また、最下段の載置部１と連結する支柱部２の下端部２Ｂには、脚部11を差し込み係合した構成としている。
【００５６】
この脚部11は、図１３に示すように、支柱部２の上端部２Ａと同様に、平面視９０°の弧状に形成した差し込み係合片５を設けた構成とし、また、底板11Ａの中央に、キャスター18を取り付けるためのキャスター差し込み係止部19を設けた構成としている。
【００５７】
尚、本実施例では、各段とも共通の載置部１を用いて、最上段の載置部１には天板部材12、最下段の載置部１には脚部11を、支柱部２の代わりに係合する構成としたが、本実施例における天板部材が予め一体成形されている最上段用載置部や、脚部が一体成形されている最下段用載置部を別に設けて、組み立てパーツとして天板部材12や脚部11を不要とする構成としても良い。
【００５８】
本実施例は以上のように構成したから、載置部１と支柱部２との組み付けに際しては、まず、図１４〜図１５に示すように、載置部１の周面１Ａに凹設した係合凹部３に上方側から支柱部２の下端部２Ｂを連結する。
【００５９】
具体的には、載置部１の係合凹部３の内面に設けた摺動案内部４及び第二摺動案内部14に、支柱部２の下端部２Ｂに設けた摺動係合部７及び第二摺動係合部16を係合してこの支柱部２を下方側に移動すると、摺動案内部４及び第二摺動案内部14により前後方向（内外方向）が位置決めされた状態で摺動し、載置部１の周面１Ａに沿設状態で係合連結する。
【００６０】
この載置部１の係合凹部３に支柱部２の下端部２Ｂを係合連結した際、図１１及び図１５に示すように、支柱部２の下端部２Ｂの外面は、載置部１の周面１Ａと面一状態で係合連結する。
【００６１】
次いで、図１５〜図１６に示すように、この載置部１に係合連結した支柱部２の下端部２Ｂに、他の支柱部２の上端部２Ａを連結する。
【００６２】
具体的には、載置部１と連結した支柱部２の下端部２Ｂに設けた差し込み凹部６に他の支柱部２の上端部２Ａに設けた差し込み係合片５を差し込み係合する。
【００６３】
この載置部１に連結した支柱部２の下端部２Ｂに他の支柱部２の上端部２Ａを連結した際、図１４に示すように、載置部１と連結した支柱部２の下端部２Ｂの外面と、これに連結した他の支柱部２の上端部２Ａの外面とが面一状態で連結する。
【００６４】
また、この差し込み係合片５と差し込み凹部６とを差し込み係合することによって、差し込み凹部６側、即ち、載置部１に係合連結した支柱部２の下端部２Ｂに設けた連結係止片８が、差し込み係合片５側、即ち、他の支柱部２の上端部２Ａに設けた抜け止め係止部９に抜け止め係止し、支柱部２同士は離脱不能になり、載置部１に対して連結状態が保持されることとなる。
【００６５】
このように、本実施例は、載置部１の周面１Ａと、この載置部１に係合連結した支柱部２の下端部２Ｂの外面と、この載置部１と係合連結した支柱部２の下端部２Ｂに連結した他の支柱部２の上端部２Ａの外面とが全て面一状態になり、連結部付近は段差の無い滑らかな面となり、見た目の良いデザイン性に優れた組立式収納体となる。
【００６６】
また、本実施例は、従来のように支柱部２を載置部１の載置面１Ｂに差し込み連結するのではなく、載置部１の周面１Ａに沿設状態で連結するので、載置部１の載置面１Ｂ上に支柱部２がなく、よって、載置部１の載置面１Ｂを広く有効的に使用することができ、また、この載置部１に収納ケースや引き出しを収納するように構成した場合も、支柱部２間が広く収納ケースや引き出しを出し入れする間口が広くなるので、幅広の収納ケースや引き出しを採用することができ、より多くの収納物が収納可能となる。
【００６７】
また更に、本実施例は、載置部１に連結する支柱部２は、上方側（載置面１Ｂ側）から連結する支柱部２のみで、他方、即ち下方側（裏面側）から連結する支柱部２は載置部１と連結した支柱部２に差し込み係合して連結するので、従来のように、載置部１を、二本分の支柱部２を差し込むために厚みを厚くしたり係合凹部３の形成箇所だけ厚みを厚くしたりする必要が無く、最適な厚みや凹凸の無い形状に形成することができ、これにより、見た目の良いスマートな形状の載置部を形成することができ、よりデザイン性に優れた組立式収納体となる。
【００６８】
また、分解に際して、載置部１から支柱部２を分離する際は、支柱部２同士の連結を保持している連結係止片８と抜け止め係止部９との係止状態を解除する必要があるが、本実施例は、図１７に示すように、この抜け止め係止部９に連接するように指入れ操作空間部10を設け、この指入れ操作空間部10に指先を入れて貫通孔15から突出している連結係止片８の先端部を容易に押し操作することができるように構成したので、抜け止め係止部９に係止している連結係止片８の係止解除操作が極めて容易にでき、極めて容易に分解作業を行うことができる実用性に優れた組立式収納体となる。
【実施例２】
【００６９】
本発明の具体的な実施例２について図１８〜図２２に基づいて説明する。
【００７０】
本実施例は、実施例１における支柱部２及び脚部11に設けた差し込み係合片５を差し込み係合する差し込み凹部６を、載置部１とこの載置部１の周面１Ａの係合凹部３に係合した支柱部２の下端部２Ｂとにより形成するように構成した場合である。
【００７１】
具体的には、支柱部２の下端部２Ｂに差し込み凹部形成片20を設け、支柱部２の下端部２Ｂを載置部１の係合凹部３に係合した際、この載置部１の係合凹部３の底面となる面に対して支柱部２の下端部２Ｂの差し込み凹部形成片20が間隔をおいて対向状態で立設状態に配設されることによって、この差し込み凹部形成片20と係合凹部３の底面となる面との間に差し込み凹部６を形成する構成としている。
【００７２】
更に具体的に説明すると、本実施例では、図１８，図１９に示すように、支柱部２の下端部２Ｂの壁面を差し込み凹部形成片20とした構成とし、この壁面を差し込み凹部形成片20とした支柱部２の下端部２Ｂを、載置部１の係合凹部３に係合すると、図２０に示すような差し込み凹部６を形成する構成とし、よって、支柱部２の上端部２Ａは、図２１，図２２に示すように、この差し込み凹部６に差し込み係合し得る形状に形成した差し込み係合片５を設けた構成としている。
【００７３】
また、実施例１で支柱部２の下端部２Ｂの内面に設けた連結係止片８及び第二摺動係合部16は、本実施例では、図１９に示すように、支柱部２の下端部２Ｂの上部に設けた板状リブ21に垂設した構成としている。
【００７４】
その余は実施例１と同様である。
【００７５】
尚、本発明は、実施例１，２に限られるものではなく、各構成要件の具体的構成は適宜設計し得るものである。
【符号の説明】
【００７６】
１  載置部
１Ａ  周面
２  支柱部
３  係合凹部
４  摺動案内部
５  差し込み係合片
６  差し込み凹部
７  摺動係合部
８  連結係止片
９  抜け止め係止部
10  指入れ操作空間部
【図１】
2014171754.tif 000003
【図２】
2014171754.tif 000004
【図３】
2014171754.tif 000005
【図４】
2014171754.tif 000006
【図５】
2014171754.tif 000007
【図６】
2014171754.tif 000008
【図７】
2014171754.tif 000009
【図８】
2014171754.tif 000010
【図９】
2014171754.tif 000011
【図１０】
2014171754.tif 000012
【図１１】
2014171754.tif 000013
【図１２】
2014171754.tif 000014
【図１３】
2014171754.tif 000015
【図１４】
2014171754.tif 000016
【図１５】
2014171754.tif 000017
【図１６】
2014171754.tif 000018
【図１７】
2014171754.tif 000019
【図１８】
2014171754.tif 000020
【図１９】
2014171754.tif 000021
【図２０】
2014171754.tif 000022
【図２１】
2014171754.tif 000023
【図２２】
2014171754.tif 000024